(57)【要約】【課題】より安全に郵便ポストをリニューアルさせることを可能とすることである。【解決手段】継手装置１０は、郵便ポスト本体部６と、郵便ポスト本体部６を支持する第１支持部８と、郵便ポスト本体部６の底部に形成された締結孔部２７と第１支持部８の天井部８ａに形成された締結孔部２４と締結する締結部材２１とを備える郵便ポストのリニューアルに用いられる継手装置であって、第１支持部８と締結可能なように締結孔部２４に対応する位置に形成された締結孔部２６と、郵便ポスト本体部６とは異なる新規の郵便ポスト本体部２０と締結可能なように新規の郵便ポスト本体部２０の底部に形成された締結孔部２８に対応する位置に形成された締結孔部３０とを有する支持部材を備えることを特徴とする。【選択図】図１
2018151042.tif 000002
【特許請求の範囲】
【請求項１】
郵便ポスト本体部と、前記郵便ポスト本体部を支持する第１支持部と、前記郵便ポスト本体部の底部に形成された第１締結部と前記第１支持部の天井部に形成された第２締結部と締結する締結部材とを備える郵便ポストのリニューアルに用いられる継手装置であって、
前記継手装置は、
前記第１支持部と締結可能なように前記第２締結部に対応する位置に形成された第３締結部と、
前記郵便ポスト本体部とは異なる新規の郵便ポスト本体部と締結可能なように前記新規の郵便ポスト本体部の底部に形成された第４締結部に対応する位置に形成された第５締結部とを有する支持部材を備えることを特徴とする継手装置。
【請求項２】
請求項１に記載の継手装置において、
前記支持部材は、
前記第３締結部と、前記第１支持部に接触する接触面とを有する土台部と、
前記第５締結部と、前記新規の郵便ポスト本体部の底部に接触する接触面とを有する第２支持部と、
前記第２支持部と前記土台部との間に設けられ、前記土台部から所定の高さ位置に前記第２支持部を位置させるように延伸する延伸部と、
を有することを特徴とする継手装置。
【請求項３】
請求項１に記載の継手装置において、
前記支持部材は、
前記第３締結部と前記第５締結部とが同一平面上に設けられた平板部を有することを特徴とする継手装置。
【発明の詳細な説明】
【技術分野】
【０００１】
本発明は、継手装置に関し、特に、郵便ポストのリニューアルに用いられる継手装置に関する。
【背景技術】
【０００２】
郵便ポストの老朽化などに伴い、郵便ポストを古いものから新しいものに入れ替えを行うリニューアル作業がなされている。郵便ポストは、図５に示されるように、下部が地面２に埋め込まれた第１支持部８の上に郵便ポスト本体部６が載置された構成を有している。従来、郵便ポストのリニューアルには、古い郵便ポストに比較的近い場所に新しい郵便ポストを設置するための支柱部を埋めるために掘削工事がなされている。
【０００３】
本発明に関連する技術として、例えば、特許文献１には、投函された郵便物を内部に収容する略箱状の本体部と、この本体部の上面に形成している郵便物を投函するための投函口と、その後端部が本体部に回動可能に軸支されて、前記投函口を開閉自在にする上蓋と、本体部の前面に形成している郵便物を取り出す取出口と、その下端部が本体部に回動可能に軸支されて、前記取出口を開閉自在にする前蓋とを備え、上蓋は、自重で閉まる状態の位置を越えては上向きに回動しないものであることを特徴とする屋外に設置される郵便ポストが開示されている。
【先行技術文献】
【特許文献】
【０００４】
【特許文献１】特開２００８−１４９１９７号公報
【発明の概要】
【発明が解決しようとする課題】
【０００５】
古い郵便ポストが設置されてから数十年も経過してリニューアルがなされることが多いため、この古い郵便ポストの周りの環境も大きく変化している。このため、例えば、この古い郵便ポストの近くの地中に水道管などが通っていることがある。
【０００６】
このような場合に、古い郵便ポストに比較的近い場所に新しい郵便ポストを設置するために新たな掘削作業を行う際に、水道管などを誤って傷つけてしまい水漏れなどのトラブルを生じさせてしまう虞がある。
【０００７】
本発明の目的は、より安全に郵便ポストをリニューアルさせることを可能とすることである。
【課題を解決するための手段】
【０００８】
本発明に係る継手装置は、郵便ポスト本体部と、前記郵便ポスト本体部を支持する第１支持部と、前記郵便ポスト本体部の底部に形成された第１締結部と前記第１支持部の天井部に形成された第２締結部と締結する締結部材とを備える郵便ポストのリニューアルに用いられる継手装置であって、前記継手装置は、前記第１支持部と締結可能なように前記第２締結部に対応する位置に形成された第３締結部と、前記郵便ポスト本体部とは異なる新規の郵便ポスト本体部と締結可能なように前記新規の郵便ポスト本体部の底部に形成された第４締結部に対応する位置に形成された第５締結部とを有する支持部材を備えることを特徴とする。
【０００９】
また、本発明に係る継手装置において、前記支持部材は、前記第３締結部と、前記第１支持部に接触する接触面とを有する土台部と、前記第５締結部と、前記新規の郵便ポスト本体部の底部に接触する接触面とを有する第２支持部と、前記第２支持部と前記土台部との間に設けられ、前記土台部から所定の高さ位置に前記第２支持部を位置させるように延伸する延伸部と、を有することが好ましい。
【００１０】
また、本発明に係る継手装置において、前記支持部材は、前記第３締結部と前記第５締結部とが同一平面上に設けられた平板部を有することが好ましい。
【発明の効果】
【００１１】
本発明によれば、古い郵便ポストに連結可能な第１支柱部を利用して新しい郵便ポストに連結することができる。これにより、新しい郵便ポストを設置するために新たな掘削を行う必要がないため、より安全に郵便ポストをリニューアルすることができる。
【図面の簡単な説明】
【００１２】
【図１】本発明に係る実施形態の継手装置と第１支柱部との関係を示す斜視図である。
【図２】本発明に係る実施形態の継手装置を用いて新しい郵便ポスト本体部を設置した後の様子を示す図である。
【図３】本発明に係る実施形態の変形例である継手装置と第１支柱部との関係を示す斜視図である。
【図４】本発明に係る実施形態の変形例である継手装置を用いて新しい郵便ポスト本体部を設置した後の様子を示す図である。
【図５】本発明に係る実施形態において、リニューアル前の古い郵便ポストを示す図である。
【図６】本発明に係る実施形態の変形例である継手装置を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
最初に、継手装置１０を用いてリニューアルする前の古い郵便ポスト４について説明する。図５は、リニューアル前の古い郵便ポスト４を示す図である。古い郵便ポスト４は、郵便ポスト本体部６と、郵便ポスト本体部６を支持する第１支持部８と、郵便ポスト本体部６の底部に形成された締結孔部２７と第１支持部８の天井部８ａに形成された締結孔部２４と締結する締結部材２１とを備える。
【００１５】
地面２は、例えば、アスファルト等を掘削して穴を形成した後に、第１支持部８の下部を当該穴に入れて、その後、セメント、砂、砂利等が配合されたコンクリート材を充填させることにより第１支持部８を立設させた状態で固定している。
【００１６】
郵便ポスト本体部６は、中空の略四角柱形状を有しており、上部には郵便物を挿入するための投函口が設けられており、ここでは、２つの投函口が設けられるものとして説明する。郵便ポスト本体部６は、適度な強度を有する材質、例えば、鉄などを用いて構成することができる。
【００１７】
第１支持部８は、所定の高さ位置を有する円筒形状を有する部材である。第１支持部８は、適度な強度を有する材質、例えば、鉄などを用いて構成することができる。第１支持部８は、上部に郵便ポスト本体部６を支持するための接触面を有するドーナツ状の天井部８ａを有している。
【００１８】
第１支持部８の天井部８ａには、周方向に所定の間隔で形成された６つの締結孔部２４（図１参照）が形成されている。そして、第１支持部８の天井部８ａに形成された締結孔部２４に対して、郵便ポスト本体部６の内部空間から締結部材２１を締め付けることで郵便ポスト本体部６を第１支持部８に固定している。
【００１９】
次に、本発明に係る実施の形態について説明する。図１は、継手装置１０と第１支持部８との関係を示す斜視図である。図２は、継手装置１０を用いて新しい郵便ポスト本体部２０を設置した後の様子を示す図である。
【００２０】
継手装置１０は、古い郵便ポスト４を新しくリニューアルする際に古い郵便ポスト４の第１支持部８を生かしつつ新しい郵便ポスト本体部２０を取り付けるために用いる装置である。継手装置１０は、土台部１２と、第２支持部１４と、延伸部１６とを備える。継手装置１０は、適度な強度を有する材質、例えば、鉄などを用いて構成することができる。
【００２１】
土台部１２は、第１支持部８に接触する接触面を有する略円盤状の板部材である。土台部１２は、第１支持部８と締結可能なように締結孔部２４に対応する位置に形成された締結孔部２６が形成されている。
【００２２】
第２支持部１４は、新規の郵便ポスト本体部２０の底部に接触する接触面を有する横方向に伸びる略角丸四角形の板部材である。第２支持部１４は、郵便ポスト本体部６とは異なる新規の郵便ポスト本体部２０と締結可能なように新規の郵便ポスト本体部２０の底部に形成された締結孔部２８に対応する位置に形成された締結孔部３０が形成されている。
【００２３】
延伸部１６は、第２支持部１４と土台部１２との間に設けられ、土台部１２から所定の高さ位置に１４第２支持部を位置させるように延伸する円筒部材である。
【００２４】
続いて、上記継手装置１０の作用について説明する。継手装置１０を用いて古い郵便ポスト４をリニューアルするに際し、最初に郵便ポスト本体部６の図示しない開閉扉を開けて、郵便ポスト本体部６の内部から締結部材２１（図５参照）を緩める。
【００２５】
全ての締結部材２１を緩めて外すことで、郵便ポスト本体部６を第１支持部８から取り外すことができる。その後、図１（ａ）に示されるように、土台部１２に形成された６つの締結孔部２６と、第１支持部８の締結孔部２４とを位置合わせを行いつつ、図１（ｂ）に示されるように土台部１２と天井部８ａとを接触させる。
【００２６】
そして、図示しない締結部材を用いて締結孔部２４，２６を締め付けることにより、第１支持部８の上に継手装置１０を連結固定することができる。
【００２７】
次に、新しい郵便ポスト本体部２０を準備し、継手装置１０の上部に配置する。そして、郵便ポスト本体部２０の締結孔部２８と、第２支持部１４の締結孔部３０との位置合わせを行いつつ、図２に示されるように、郵便ポスト本体部２０と第２支持部１４と接触させる。
【００２８】
そして、郵便ポスト本体部２０の図示しない開閉扉を開けて、郵便ポスト本体部２０の内部から締結部材３２を締結孔部２８，３０に対して締め付ける。これにより、郵便ポスト本体部２０を継手装置１０に対して固定することができる。
【００２９】
このように古い郵便ポスト本体部６と新しい郵便ポスト本体部２０の大きさが異なって底部に設けられる締結孔部２７，２８の位置などが異なる場合であっても、継手装置１０を用いることで、もともとの第１支持部８を生かしつつ、新しい郵便ポスト本体部２０を設置することができる。これにより、新しい郵便ポスト本体部２０を設置するために新たな掘削を行う必要がないため、より安全に郵便ポストをリニューアルすることができるという顕著な効果を奏する。
【００３０】
次に、継手装置１０の変形例である継手装置１１について説明する。図３は、継手装置１１と第１支持部９との関係を示す斜視図である。図４は、継手装置１１を用いて新しい郵便ポスト本体部２０を設置した後の様子を示す図である。
【００３１】
継手装置１１は、継手装置１０とは異なり、略角丸四角形の平板部材で構成されている。継手装置１１には、第１支持部９と締結可能なように締結孔部２４に対応する位置に形成された締結孔部２７が形成されている。
【００３２】
また、継手装置１１には、郵便ポスト本体部６とは異なる新規の郵便ポスト本体部２０と締結可能なように新規の郵便ポスト本体部２０の底部に形成された締結孔部２８に対応する位置に形成された締結孔部３１が形成されている。
【００３３】
平板上の継手装置１１には、締結孔部２７と締結孔部３１とが同一平面上に形成されている。継手装置１１は、適度な強度を有する材質、例えば、鉄などを用いて構成することができる。
【００３４】
続いて、上記継手装置１１の作用について説明する。継手装置１１を用いて古い郵便ポスト４をリニューアルするに際し、最初に郵便ポスト本体部６の図示しない開閉扉を開けて、郵便ポスト本体部６の内部から締結部材２１（図５参照）を緩める。郵便ポスト本体部６を取り外すまでは、継手装置１０を用いる場合と同じである。
【００３５】
その後、図３（ａ）に示されるように、継手装置１１の６つの締結孔部２７と、第１支持部９の締結孔部２４とを位置合わせを行いつつ、図３（ｂ）に示されるように継手装置１１と天井部９ａとを接触させる。
【００３６】
そして、図示しない締結部材を用いて締結孔部２４，２７を締め付けることにより、第１支持部８の上に継手装置１１を連結固定することができる。
【００３７】
次に、新しい郵便ポスト本体部２０を準備し、継手装置１１の上部に配置する。そして、郵便ポスト本体部２０の締結孔部２８と、継手装置１１の締結孔部３１との位置合わせを行いつつ、図４に示されるように、郵便ポスト本体部２０と継手装置１１と接触させる。
【００３８】
そして、郵便ポスト本体部２０の図示しない開閉扉を開けて、郵便ポスト本体部２０の内部から締結部材３２を締結孔部２８，３２に対して締め付ける。これにより、郵便ポスト本体部２０を継手装置１１に対して固定することができる。
【００３９】
このように、継手装置１１を用いることで、継手装置１０と同様に、もともとの第１支持部８を生かしつつ、新しい郵便ポスト本体部２０を設置することができる。これにより、新しい郵便ポスト本体部２０を設置するために新たな掘削を行う必要がないため、より安全に郵便ポストをリニューアルすることができるという顕著な効果を奏する。
【００４０】
なお、継手装置１０，１１ともに、より安全に郵便ポストのリニューアルを行うために用いることが可能であるが、継手装置１０は、延伸部１６の存在により、郵便ポスト本体部２０の高さを高くすることができる。すなわち、古い郵便ポスト本体部６から新しい郵便ポスト本体部２０に入れ替える際に高さを変える必要がない場合は、継手装置１１を用いればよく、高さを高くした方がよい場合は継手装置１０を用いることで高さの調整を行うことができる。
【００４１】
また、継手装置１０，１１は、大きさの異なる郵便ポストのリニューアルに用いられるのであり、色々な規格のものに用いることができるが、例えば、具体的な規格の一例をあげると、継手装置１０は、郵便差出箱７号ポストから郵便差出箱１３号ポストへリニューアルする際に用いるのが好ましく、継手装置１１は、郵便差出箱８号ポストから郵便差出箱１３号ポストへリニューアルする際に用いるのが好ましい。また、継手装置１０，１１のその他の変形例として継手装置１３，１５，１７を用いることもできる。
【００４２】
継手装置１３は、新しい郵便ポストに締結するための締結孔部３０ａが形成されるプレート部と、古い郵便ポストに締結するための締結孔部２６ａが形成される略筒形状を有する筒部とを備えている。継手装置１３が用いられる一例として、郵便差出箱旧型８号ポストから郵便差出箱１３号ポストへリニューアルする際に用いるのが好ましい。
【００４３】
継手装置１５は、新しい郵便ポストに締結するための締結孔部３０ｂと古い郵便ポストに締結するための締結孔部２６ｂとが同一平面上に形成された丸型のプレート部を備えている。継手装置１５が用いられる一例として、郵便差出箱８号ポストから郵便差出箱１０号ポストへリニューアルする際に用いるのが好ましい。
【００４４】
継手装置１７は、新しい郵便ポストに締結するための締結孔部３０ｃと古い郵便ポストに締結するための締結孔部２６ｃとが同一平面上に形成されたドーナツ型のプレート部を備えている。継手装置１７が用いられる一例として、郵便差出箱１号角ポストから郵便差出箱１０号ポストへリニューアルする際に用いるのが好ましい。
【符号の説明】
【００４５】
２  地面、４  郵便ポスト、６  郵便ポスト本体部、８，９  支持部、８ａ，９ａ  天井部、１０，１１，１３，１５，１７  継手装置、１２  土台部、１４  支持部、１６  延伸部、２０  郵便ポスト本体部、２１，３２  締結部材、２４,２６，２６ａ，２６ｂ，２６ｃ，２７，２８，３０，３０ａ，３０ｂ，３０ｃ，３１  締結孔部。
【図１】
2018151042.tif 000003
【図２】
2018151042.tif 000004
【図３】
2018151042.tif 000005
【図４】
2018151042.tif 000006
【図５】
2018151042.tif 000007
【図６】
2018151042.tif 000008
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
郵便ポスト本体部、前記郵便ポスト本体部を支持する第１支持部、及び、前記郵便ポスト本体部の底部に形成された第１締結部と前記第１支持部の天井部に形成された第２締結部とを締結する締結部材を備える郵便ポストのリニューアルに用いられる継手装置であって、
前記継手装置は、
前記第１支持部と締結可能なように前記第２締結部に対応する位置に形成された第３締結部と、
前記郵便ポスト本体部とは大きさが異なる新規の郵便ポスト本体部へリニューアルする際に該新規の郵便ポスト本体部へと締結可能なように前記新規の郵便ポスト本体部の底部に形成され、前記第１締結部と位置が異なる第４締結部に対応する位置に形成された第５締結部と、
を有する支持部材を備えることを特徴とする継手装置。
【請求項２】
請求項１に記載の継手装置において、
前記支持部材は、
前記第３締結部と、前記第１支持部に接触する接触面とを有する土台部と、
前記第５締結部と、前記新規の郵便ポスト本体部の底部に接触する接触面とを有する第２支持部と、
前記第２支持部と前記土台部との間に設けられ、前記土台部から所定の高さ位置に前記第２支持部を位置させるように延伸する延伸部と、
を有することを特徴とする継手装置。
【請求項３】
請求項１に記載の継手装置において、
前記支持部材は、
前記第３締結部と前記第５締結部とが同一平面上に設けられた平板部を有することを特徴とする継手装置。
【手続補正２】
【補正対象書類名】明細書
【補正対象項目名】０００８
【補正方法】変更
【補正の内容】
【０００８】
本発明に係る継手装置は、郵便ポスト本体部、前記郵便ポスト本体部を支持する第１支持部、及び、前記郵便ポスト本体部の底部に形成された第１締結部と前記第１支持部の天井部に形成された第２締結部とを締結する締結部材を備える郵便ポストのリニューアルに用いられる継手装置であって、前記継手装置は、前記第１支持部と締結可能なように前記第２締結部に対応する位置に形成された第３締結部と、前記郵便ポスト本体部とは大きさが異なる新規の郵便ポスト本体部へリニューアルする際に該新規の郵便ポスト本体部へと締結可能なように前記新規の郵便ポスト本体部の底部に形成され、前記第１締結部と位置が異なる第４締結部に対応する位置に形成された第５締結部と、を有する支持部材を備えることを特徴とする。